(57)【要約】      （修正有）【課題】口紅等の棒状化粧品とリップグロス等の粘性のある液状化粧料とを１個の容器に収納して、同時に所持することができる化粧料収納容器を得る。【解決手段】筒部材５とハカマ部材４とを回転させることで該筒部材５の先端部より口紅等の棒状化粧品２を出没させることができる棒状化粧品容器８と、ハカマ部材４の後端部より外方へ突出する筒状の液状化粧料収納筒９、この液状化粧料収納筒９の先端部に該液状化粧料収納筒９内の液状化粧料３を流出させることができるアプリケーター１０、ハカマ部材４と一体となって回転する液状化粧料収納筒９内の先端部近傍まで位置するねじ棒１１、このねじ棒１１に螺合された液状化粧料３を押し出すピストン１２、ピストン１２を先端部方向へ移動させるピストン１２の回転防止手段、およびアプリケーター１０の流出口を覆う液状化粧料用キャップ１５とからなる液状化粧料容器１６とを備えた化粧料収納容器。【選択図】図３
2011218046.tif 000002
【特許請求の範囲】
【請求項１】
筒状のハカマ部材、このハカマ部材の先端部より外方へ突出する該ハカマ部材に回転可能に取付けられた筒部材、この筒部材と前記ハカマ部材とをつかんで回転させることにより該筒部材の先端部より口紅等の棒状化粧品を出没させることができる棒状化粧品の出没機構とからなる棒状化粧品容器と、この棒状化粧品容器のハカマ部材の後端部より外方へ突出する該ハカマ部材に回転可能に取付けられた粘性のある液状化粧料が収納される筒状の液状化粧料収納筒、この液状化粧料収納筒の先端部に該液状化粧料収納筒内の液状化粧料を流出させることができるように取付けられたアプリケーター、前記ハカマ部材と一体となって回転するように取付けられた前記液状化粧料収納筒内の先端部近傍まで位置するねじ棒、このねじ棒に螺合された前記液状化粧料収納筒内の液状化粧料を押し出すピストン、前記液状化粧料収納筒と前記ハカマ部材とをつかんで回転させることにより前記ピストンを該液状化粧料収納筒の先端部方向へ移動させるピストンの回転防止手段、および前記アプリケーターの流出口を覆うように前記液状化粧料収納筒に着脱可能に取付けられた液状化粧料用キャップとからなる液状化粧料容器とを備えたことを特徴とする化粧料収納容器。
【請求項２】
ピストンの回転防止手段は液状化粧料収納筒の内壁面およびピストンの外壁面を楕円形状に形成したものであることを特徴とする請求項１記載の化粧料収納容器。
【請求項３】
ピストンの回転防止手段は液状化粧料収納筒の内壁面又はピストンの外壁面のいずれか一方を楕円形状に形成したものであることを特徴とする請求項１記載の化粧料収納容器。
【請求項４】
ピストンの回転防止手段は液状化粧料収納筒の軸心方向の内壁に形成された係合片あるいは係合溝と、この係合片あるいは係合溝と軸心方向に移動できるように係合するピストンの外壁面に形成された係合溝あるいは係合片とで構成されていることを特徴とする請求項１記載の化粧料収納容器。
【請求項５】
ピストンの先端部にはねじ棒のねじ谷と密着するフィンが設けられていることを特徴とする請求項１，２，３，４いずれかに記載の化粧料収納容器。
【請求項６】
筒状のハカマ部材、このハカマ部材の先端部より外方へ突出する該ハカマ部材に回転可能に取付けられた筒部材、この筒部材と前記ハカマ部材とをつかんで回転させることにより該筒部材の先端部より口紅等の棒状化粧品を出没させることができる棒状化粧品の出没機構とからなる棒状化粧品容器と、この棒状化粧品容器のハカマ部材の後端部より外方へ突出する該ハカマ部材に螺合固定された粘性のある液状化粧料が収納される筒状の液状化粧料収納筒、この液状化粧料収納筒の先端部に取り付けられたシゴキ部材を備えた口部材、この口部材を密閉するように着脱可能に取付けられる前記液状化粧料収納筒に収納される軸の先端部に傾斜面の塗布体が備えられた塗布具とからなる液状化粧料容器とを備えたことを特徴とする化粧料収納容器。
【発明の詳細な説明】
【技術分野】
【０００１】
本発明は口紅等の棒状化粧品とリップグロス等の粘性のある液状化粧料とを収納する化粧料収納容器に関する。
【背景技術】
【０００２】
この種の化粧料収納容器は、ハカマ部材、このハカマ部材の先端部に回転可能に取付けられた筒部材、この筒部材と前記ハカマ部材とを回転させることにより、該筒部材の先端部より口紅等の棒状化粧品を出没させることができる棒状化粧品の出没機構とからなる棒状化粧品容器と、この棒状化粧品容器のハカマ部材の後端部に着脱可能に取付ける取付け手段を介して取付けられた内部にリップグロス等の粘性のある液状化粧料が収納されたチューブを押し圧することができるチューブカバー、このチューブカバーの先端部に前記チューブ内の液状化粧料を流出口を介して先端部より流出させることができるように取付けられたアプリケーター、このアプリケーターの流出口を覆うように該アプリケーターに着脱可能に取付けられる液状化粧料用キャップとからなる液状化粧料容器とで構成している。
【０００３】
このような化粧料収納容器は、リップグロス等の粘性のある液状化粧料をチューブに収納し、該チューブを押し圧して、アプリケーターより流出させるため、チューブの押し圧操作で液状化粧料の流出量がかわる。したがって、最適量を流出させて使用するのがむずかしいという欠点があった。また、チューブの押し圧を解除すると、チューブ内に空気が入り込むので、液状化粧料が硬化する。さらに、液状化粧料をチューブより押し出す場合、アプリケーターを下方に位置させてチューブを押し圧しないと流出させづらいという欠点を有するとともに、リップグロスを最後まで使えない、所謂かなり残量が生じてしまうという問題があった。
【０００４】
加えて、液状化粧料を収納したチューブを押し圧して、チューブより流出させているので、チューブを押し圧する押し圧部の寸法が長くなり、その結果、全長が非常に長くなってしまうという難点があると共に、チューブの押し圧機構でデザインが損なわれるという問題点を有していた。
【先行技術文献】
【特許文献】
【０００５】
【特許文献１】特開２００８−２２０６２６
【発明の概要】
【発明が解決しようとする課題】
【０００６】
本発明は、以上のような従来の欠点に鑑み、その所期の目的は、全長を小さくできると共に、液状化粧料収納筒内に空気が入り込むことなく、順次液状化粧料をピストンを利用して押し出して、最後まで残量を生じることなく使用することができることである。本発明の第２の目的はデザインが損なわれることのない化粧料収納容器を提供することである。
【課題を解決するための手段】
【０００７】
上記目的を達成するために、本発明の化粧料収納容器は、ハカマ部材、このハカマ部材の先端部より外方へ突出する該ハカマ部材に回転可能に取付けられた筒部材、この筒部材と前記ハカマ部材とをつかんで回転させることにより該筒部材の先端部より口紅等の棒状化粧品を出没させることができる棒状化粧品の出没機構とからなる棒状化粧品容器と、この棒状化粧品容器のハカマ部材の後端部より外方へ突出する該ハカマ部材に回転可能に取付けられた粘性のある液状化粧料が収納される液状化粧料収納筒、この液状化粧料収納筒の先端部に該液状化粧料収納筒内の液状化粧料を流出させることができるように取付けられたアプリケーター、前記ハカマ部材と一体となって回転するように取付けられた前記液状化粧料収納筒内の先端部近傍まで位置するねじ棒、このねじ棒に螺合された前記液状化粧料収納筒内の液状化粧料を押し出すピストン、前記液状化粧料収納筒と前記ハカマ部材とをつかんで回転させることにより前記ピストンを該液状化粧料収納筒の先端部方向へ移動させるピストンの回転防止手段、および前記アプリケーターの流出口を覆うように前記液状化粧料収納筒に着脱可能に取付けられた液状化粧料用キャップとからなる液状化粧料容器とを有する。
【発明の効果】
【０００８】
以上の説明から明らかなように、本発明にあっては次に列挙する効果が得られる。
（１）請求項１によって、ハカマ部材と筒部材をつかんで回転させることにより、棒状化粧品を筒部材の先端部より出没させて使用することができると共に、ハカマ部材と液状化粧料収納筒とをつかんで回転させることにより、液状化粧料収納筒内をピストンが移動し、液状化粧料をアプリケーターより流出させて使用することができる。
したがって、棒状化粧品と液状化粧料の２種類の化粧料を常時携帯し、メーキャップ効果を高めることができるものである。
また、ネジ棒を液状化粧料収納筒内に配設したことにより、化粧料収納容器全体の長さを短くすることができ、携帯性に優れているという効果も有する
（２）前記（１）により、一方の化粧料の使用状態にする操作では他方の化粧料が使用状態に作動しないので、安全であると共に、楽に使用することができる。
（３）前記（１）により、液状化粧料収納筒内に収納された液状化粧料をピストンで押し出すので、液状化粧料収納筒内に空気が入り込むのを阻止できるとともに、リップグロスのような粘性の高い液状化粧料において残量を少なくすることができる。この点、従来のチューブを用いる化粧料収納容器とは相違する。
付言すると、液状化粧料収納筒内に収納された液状化粧料を使用初めと同じ状態で使用することができると共に、液状化粧料が空気の流入で硬化しないため、最後まで、使用することができ、かつ従来のチューブを用いるもののように押し圧機構が外部にでないため、デザインを損なうことがない。
（４）前記（１）により、液状化粧料をねじ棒の回転で、移動するピストンを用いているので、ねじ棒のねじのピッチを小さく設定することにより、液状化粧料を少しずつ流出させて使用できるようにできる。
【０００９】
したがって、だれでもが、楽にきれいに化粧することができると共に、液状化粧料収納筒内の液状化粧料を最後まで流出できるため、液状化粧料収納筒の長さを小さく設定でき、ひいては全体の長さを小さく設定することができる。
（５）請求項２は前記（１）〜（４）と同様な効果が得られると共に、液状化粧料収納筒内の液状化粧料をピストンで、きれいに押し出すことができる。
（６）請求項３は前記（１）〜（４）と同様な効果が得られる。
【図面の簡単な説明】
【００１０】
【図１】本発明を実施するための第１の形態の平面図。
【図２】本発明を実施するための第１の形態の両キャップを外した正面図。
【図３】図１の３−３線に沿う拡大断面図。
【図４】本発明を実施するための第１の形態のハカマ部材の説明図。
【図５】本発明を実施するための第１の形態の筒部材の説明図。
【図６】本発明を実施するための第１の形態のねじ筒の説明図。
【図７】本発明を実施するための第１の形態の棒状化粧品支持皿の説明図。
【図８】本発明を実施するための第１の形態の液状化粧料収納筒の説明図。
【図９】本発明を実施するための第１の形態のアプリケーターの説明図。
【図１０】本発明を実施するための第１の形態のねじ棒の説明図。
【図１１】本発明を実施するための第１の形態のピストンの説明図。
【図１２】本発明を実施するための第１の形態のピストンの回転防止手段の説明図。
【図１３】本発明を実施するための第１の形態の液状化粧料用キャップの説明図。
【図１４】本発明を実施するための第１の形態の棒状化粧品の使用状態の説明図。
【図１５】本発明を実施するための第１の形態の液状化粧料の使用状態の説明図。
【図１６】本発明を実施するための第２の形態の縦断面図。
【図１７】図１６の１７−１７線に沿う断面図。
【図１８】本発明を実施するための第２の形態のピストンの回転防止手段の説明図。
【図１９】本発明を実施するための第３の形態の縦断面図。
【図２０】図１９の２０−２０線に沿う断面図。
【図２１】本発明を実施するための第３の形態のピストンの回転防止手段の説明図。
【図２２】本発明を実施するための第４の形態の縦断面図。
【図２３】本発明を実施するための第４の形態の両キャップを外した正面図。
【発明を実施するための形態】
【００１１】
以下、図面に示す本発明を実施するための形態により、本発明を詳細に説明する。
【００１２】
図１ないし図１５に示す本発明を実施するための第１の形態において、１は一端部より口紅等の棒状化粧品２を出没させて使用したり、他端部よりリップグロス等の粘性のある液状化粧料３を流出させて使用することができる本発明の化粧料収納容器で、この化粧料収納容器１は筒状のハカマ部材４、このハカマ部材４の先端部より外方へ突出すると共に、該ハカマ部材４に回転可能に取付けられた筒部材５、この筒部材５と前記ハカマ部材４とをつかんで回転させることにより、該筒部材５の先端部より口紅等の棒状化粧品２を出没させることができる棒状化粧品用の出没機構６および前記筒部材５を覆うことができ、かつ前記ハカマ部材４に着脱可能取付けることができるキャップ７とからなる棒状化粧品容器８と、この棒状化粧品容器８のハカマ部材４の後端部（図３では下方）より外方へ突出すると共に、該ハカマ部材４に回転可能に取付けられかつリップグロス等の粘性のある液状化粧料３が収納される筒状の液状化粧料収納筒９、この液状化粧料収納筒９の先端部（図３では下端部）に該液状化粧料収納筒９内の液状化粧料３を流出させることができるように取付けられたアプリケーター１０、前記ハカマ部材４と一体となって回転するように取付けられかつ前記液状化粧料収納筒９内の先端部近傍まで位置するねじ棒１１、このねじ棒１１に螺合されていると共に前記液状化粧料収納筒９内の液状化粧料３を押し出すピストン１２、前記液状化粧料収納筒９と前記ハカマ部材４とをつかんで回転させることにより、前記ピストン１２を該液状化粧料収納筒９の先端部方向へ移動させるピストン回転防止手段１３（例えば図１２を参照）および前記アプリケーター１０の流出口１４を覆うように前記液状化粧料収納筒９に着脱可能に取付けられた液状化粧料用キャップ１５とからなる液状化粧料容器１６とで構成されている。
【００１３】
前記ハカマ部材４は、図４に示すように筒状のハカマ部材本体１７と、このハカマ部材本体１７の先端部（図４では右側）より小外径寸法で外方へ突出するように一体形成されかつ外周部にキャップ嵌合突片１８を有するキャップ嵌合筒１９と、このキャップ嵌合筒１９の先端部より小外径寸法であると共に外方へ突出するように一体形成された外周にＯリング収納リング溝２０および筒部材嵌合凹部２１が形成され、かつ内壁面に軸心方向の筋状嵌合溝２２が形成する所定間隔で複数個の嵌合突片２３を有する筒部材嵌合筒２４と、この筒部材嵌合筒２４の先端部の対向する外径に形成された係合凹部２５と、前記ハカマ部材本体１７の後端部（図４では左側）の内壁面に形成されていると共に前記液状化粧料収納筒９に回転可能に嵌合する液状化粧料収納筒嵌合部２６とで構成されている。
【００１４】
前記筒部材５は、図５に示すように先端部が傾斜面２７に形成された筒部材本体２８と、この筒部材本体２８の先端部を除く内壁面に形成された軸心方向の複数の係合溝２９と、前記筒部材本体２８の後端部寄りの内壁面に形成されていると共に前記ハカマ部材４の筒部材嵌合凹部２１に回転可能で、かつ抜け脱が容易にできないように嵌合するハカマ部材嵌合部３０とで構成されている。
【００１５】
前記棒状化粧品の出没機構６は、図６および図７に示すように前記ハカマ部材４の筒状嵌合筒２４の嵌合溝２２と嵌合する複数個の軸心方向のハカマ部材係合片３１が上部側の外壁面に形成され、かつ小外径寸法の下部側の外壁面に形成された複数個の軸心方向の係合片３２が形成されたねじ筒本体３３、このねじ筒本体３３の上部に外方へ突出するように形成されていると共に前記ハカマ部材４の係合凹部２５と係合する係合片３４および前記ねじ筒本体３３の上部内壁に形成された一対のねじ片３５とが形成されたねじ筒３６と、このねじ筒３６の一対のねじ片３５と螺合する該ねじ筒３６とほぼ同じ長さで、かつ下端部に切欠溝３７を有するねじ軸３８、このねじ軸３８の上端部が底面中央部に位置するように一体形成された口紅等の棒状化粧品２を支持する皿部材３９およびこの皿部材３９の外周部に一体形成された前記筒部材５の係合溝２９と係合する係合ピン４０とからなる棒状化粧品支持皿４１とで構成されている。
【００１６】
前記液状化粧料収納筒９は、図８に示すように筒状の液状化粧料収納筒本体４２と、この液状化粧料収納筒本体４２の後端部（図８では右側）に一体形成されていると共に前記ハカマ部材４の後端部より内部に挿入でき、かつ前記液状化粧料収納筒嵌合部２６と嵌合する第１の嵌合片４３および内壁部に軸心方向の複数個の係合溝４４が形成されたハカマ部材嵌合筒４５と、前記液状化粧料収納筒本体４２の先端部（図８では左側）に該液状化粧料収納筒本体４２の外径寸法よりも小外径寸法に形成されかつ外壁面に前記液状化粧料用キャップ１５と着脱可能に嵌合する第２の嵌合片４６が形成されたキャップ嵌合筒４７と、このキャップ嵌合筒４７の先端部に該キャップ嵌合筒４７の外形寸法よりも小外径寸法に形成された外壁面にアプリケーター嵌合片４８が形成されたアプリケーター嵌合筒４９とで構成されている。
【００１７】
前記アプリケーター１０は、図９に示すように先端部に傾斜面５０が形成され、かつ中心部に流出口１４が形成されたポリプロピレン等の合成樹脂製のアプリケーター本体５１と、このアプリケーター本体５１の後端部に形成された前記液状化粧料収納筒９のアプリケーター嵌合筒４９および該アプリケーター嵌合筒４９内に嵌合固定されるプラグ５２が挿入されるアプリケーター嵌合片４８と嵌合する嵌合部５３を有する取付穴５４とで構成されている。
【００１８】
前記ねじ棒１１は、図１０に示すように、微小なピッチのねじ山５５が形成されたねじ棒本体５６と、このねじ棒本体５６の後端部と底面中央部が一体形成された前記ハカマ部材４のキャップ嵌合筒１９の内壁面に形成された嵌合部５７と回転可能な嵌合する嵌合片５８が形成されかつ内部の軸心方向の複数個の係合部５９と前記ねじ筒３６の係合片３４と係合するように挿入される皿状の支持部材６０と、この支持部材６０の外周部に形成された前記液状化粧料収納筒９のハカマ部材嵌合筒４５の端部に支持されるフランジ６１と、このフランジ６１の下部位置の外壁面に形成された前記ハカマ部材嵌合筒４５の係合溝４４と係合する軸心方向の係合片６２とで構成されている。
【００１９】
前記ピストン１２は、図１１に示すように中央部に前記ねじ棒１１のねじ棒本体５６と螺合するねじ孔６３が形成され、かつ外壁面が中央部より両端部が大径となるように形成されたピストン本体６４と、このピストン本体６４の先端部側に一体形成された前記ねじ棒１１のねじ谷６５と密着するフィン６６とで構成されている。
【００２０】
前記ピストンの回転防止手段１３は図１２に示すように前記液状化粧料収納筒９に形成された長径と短径の差が小さい楕円形状の内壁９ａと、この内壁９ａと密着し、ねじ棒１１の回転と一体になって回転することのない外周部が楕円形状のピストン１２とで構成され、液状化粧料収納筒９を回転させピストン１２を前進させる際にピストン１２が回転しないようになっている。なお、この形態において、液状化粧料収納筒９の内壁９ａとピストン１２の外周部をともに楕円形状にして回転防止手段１３を形成しているが、液状化粧料３がリップグロス等のように粘性が高い場合は、液状化粧料収納筒９の内壁９ａまたはピストン１２の外周部のいずれか一方を楕円形状にするだけで回転を防止することができ、液状化粧料３がピストン外周部の脇からしみ出たりすることはない。部品等の生産性を考慮すると液状化粧料収納筒９の内壁９ａを楕円形状にし、ピストン１２の外周部を正円とする構成が好ましい。
【００２１】
前記液状化粧料用キャップ１５は図１３に示すように前記液状化粧料収納筒９のキャップ嵌合片４６と着脱可能に嵌合する前記アプリケーター１０を覆う液状化粧料用キャップ本体６７と、この液状化粧料用キャップ本体６７の天板６７ａの内壁中央部に一体形成された前記アプリケーター１０の流出口１４を閉じる閉塞材６８とで構成されている。
上記構成の化粧料収納容器１は図１４に示すように棒状化粧品２を使用する場合キャップ７を外し、ハカマ部材４と筒部材５とを持って、回転させることにより、ハカマ部材４と一体になって回転するねじ筒３６が回転し、棒状化粧品支持皿４１の係合ピン４０が筒部材５の係合溝２９と係合しているため、ねじ軸３８が上下方向に移動し、筒部材５の先端部より、棒状化粧品２を出没させて、従来と同様に使用することができる。
【００２２】
この時、液状化粧料収納筒９はハカマ部材４と一体なっているため、ピストン１２は移動することはない。
【００２３】
次に、液状化粧料３を使用する場合、液状化粧料用キャップ１５を外し、図１５に示すようにハカマ部材４と液状化粧料収納筒９とを持って、回転させることにより、ねじ棒１１が回転する。このねじ棒１１の回転により、ピストン１２と液状化粧料収納筒９とはピストンの回転防止手段１３で回転していないため、ピストン１２が流出口１４方向へ移動し、内部に充填されている液状化粧料３をアプリケーター１０の流出口１４より流出させて使用することができる。
【００２４】
この時、ねじ棒１１のねじ山５５は微小なピッチで形成されているため、ねじ棒１１の回転に対して、わずかな液状化粧料３の流出となり、安全で、最適量の流出で使用することができる。
【００２５】
[発明を実施するための異なる形態]
次に、図１６ないし図２３に示す本発明を実施するための異なる形態につき説明する。なお、これらの本発明を実施するための異なる形態の説明に当たって、前記本発明を実施するための第１の形態と同一構成部分には同一符号を付して、重複する説明を省略する。
【００２６】
図１６ないし図１８に示す本発明を実施するための第２の形態において、前記本発明を実施するための第１の形態と主に異なる点は、液状化粧料収納筒９の真円の内壁面に形成した軸心方向の係合片６９と、この係合片６９と密着する係合凹部７０を真円のピストン１２Ａの外周部に形成したピストンの回転防止手段１３Ａを用いた点で、このようなピストンの回転防止手段１３Ａを用いて構成した化粧料収納容器１Ａにしても前記本発明を実施するための第１の形態と同様な作用効果が得られる。
【００２７】
図１９ないし図２１に示す本発明を実施するための第３の形態において、前記本発明を実施するための第１の形態と主に異なる点は液状化粧料収納筒９の真円の内壁面に形成した軸心方向の係合溝７１と、この係合溝７１と密着する係合片７２を真円のピストン１２Ｂの外周部に形成したピストンの回転防止手段１３Ｂを用いた点で、このようなピストンの回転防止手段１３Ｂを用いて構成した化粧料収納容器１Ｂにしても前記本発明を実施するための第１の形態と同様な作用効果が得られる。
【００２８】
図２２および図２３に示す本発明を実施するための第４の形態において、前記本発明を実施するための第１の形態と主に異なる点は棒状化粧品容器8のハカマ部材４の後端部より外方へ突出する該ハカマ部材４に螺合固定された粘性のある液状化粧料３が収納される筒状の液状化粧料収納筒９Ａ、この液状化粧料収納筒９Ａの先端部に取り付けられたシゴキ部材７３を備えた口部材７４、この口部材７４を密閉するように着脱可能に取付けられる前記液状化粧料収納筒９Ａに収納される軸７５の先端部に傾斜面７６の塗布体７７が備えられた塗布具７８とで液状化粧料容器１６Ａを構成した点で、このような液状化粧料容器１６Ａを用いて構成した化粧料収納容器１Ｃにしても前記本発明を実施するための第１の形態と同様な作用効果が得られる。
【産業上の利用可能性】
【００２９】
本発明は化粧料収納容器を製造する産業で利用される。
【符号の説明】
【００３０】
1、１Ａ、１Ｂ：化粧料収納容器、
２：棒状化粧品              ３：液状化粧料、
４：ハカマ部材、            ５：筒部材、
６：棒状化粧品の出没機構、
７：キャップ、
８：棒状化粧品容器、
９：液状化粧料収納筒、
１０：アプリケーター、        １１：ねじ棒、
１２、１２Ａ、１２Ｂ：ピストン、
１３、１３Ａ、１３Ｂ：ピストンの回転防止手段、
１４：流出口、
１５：液状化粧料用キャップ、
１６：液状化粧料容器、
１７：ハカマ部材本体、
１９：キャップ嵌合筒、
２０：Ｏリング収納リング溝、
２１：筒部材嵌合凹部、        ２２：嵌合溝、
２３：嵌合突片、              ２４：筒部材嵌合筒、
２５：係合凹部、
２６：液状化粧料収納筒嵌合部、
２７：傾斜面、                ２８：筒部材本体、
２９：係合溝、                ３０：ハカマ部材嵌合部、
３１：ハカマ部材係合片、      ３２：係合片、
３３：ねじ筒本体、            ３４：係合片、
３５：ねじ片、                ３６：ねじ筒、
３７：切欠溝、                ３８：ねじ軸、
３９：皿部材、                ４０：係合ピン、
４１：棒状化粧品支持皿、
４２：液状化粧料収納筒本体、
４３：嵌合片、                ４４：嵌合溝
４５：ハカマ部材嵌合筒、      ４６：嵌合片、
４７：キャップ嵌合筒、        ４８：アプリケーター嵌合片、
４９：アプリケーター嵌合筒、  ５０：傾斜面、
５１：アプリケーター本体、    ５２：プラグ、
５３：嵌合部、                ５４：取付穴、
５５：ねじ山、                ５６：ねじ棒本体、
５７：嵌合部、                ５８：嵌合片、
５９：係合部                  ６０：支持部材、
６１：フランジ、              ６２：係合片、
６３：ねじ孔、                ６４：ピストン本体、
６５：ねじ谷、                ６６：フィン、
６７：液状化粧料用キャップ本体、
６８：閉塞材、                ６９：係合片、
７０：係合凹部、              ７１：係合溝、
７２：係合片。
【図１】
2011218046.tif 000003
【図２】
2011218046.tif 000004
【図３】
2011218046.tif 000005
【図４】
2011218046.tif 000006
【図５】
2011218046.tif 000007
【図６】
2011218046.tif 000008
【図７】
2011218046.tif 000009
【図８】
2011218046.tif 000010
【図９】
2011218046.tif 000011
【図１０】
2011218046.tif 000012
【図１１】
2011218046.tif 000013
【図１２】
2011218046.tif 000014
【図１３】
2011218046.tif 000015
【図１４】
2011218046.tif 000016
【図１５】
2011218046.tif 000017
【図１６】
2011218046.tif 000018
【図１７】
2011218046.tif 000019
【図１８】
2011218046.tif 000020
【図１９】
2011218046.tif 000021
【図２０】
2011218046.tif 000022
【図２１】
2011218046.tif 000023
【図２２】
2011218046.tif 000024
【図２３】
2011218046.tif 000025